(57)【要約】【課題】ユーザが面倒な操作を行うことなく、ユーザが視認できる地図画面の表示面積を拡大することが可能な「ナビゲーション装置およびナビゲーション装置」を提供する。【解決手段】目的地までの誘導経路を探索する経路探索部１１１と、探索された誘導経路を案内する経路案内部１１２と、予め設定された自宅を目的地とする誘導経路の探索を経路探索部１１１に行わせるための自宅ボタンを、地図画面上に重ねて表示させる自宅ボタン表示制御部１２１とを備え、自宅ボタン表示制御部１２１が、ナビゲーション装置１０が予め定められた自宅ボタンの非表示条件に合致する状態にある場合、自宅ボタンを地図画面上に表示させないことにより、ナビゲーション装置１０が非表示条件に合致する状態になると、ユーザが操作を行うことなく、地図画面上に表示されていた自宅ボタンが自動的に消去されるようにする。【選択図】図１
2016070806.tif 000002
【特許請求の範囲】
【請求項１】
目的地までの誘導経路を探索する経路探索部と、
前記経路探索部によって探索された前記誘導経路を案内する経路案内部と、
予め設定された自宅を前記目的地とする前記誘導経路の探索を前記経路探索部に行わせるための自宅ボタンを、地図画面上に重ねて表示させる自宅ボタン表示制御部と
を備え、
前記自宅ボタン表示制御部は、
ナビゲーション装置が予め定められた前記自宅ボタンの非表示条件に合致する状態にある場合、前記自宅ボタンを前記地図画面上に表示させない
ことを特徴とするナビゲーション装置。
【請求項２】
前記自宅ボタン表示制御部は、
前記目的地までの前記誘導経路が前記経路案内部によって案内されている場合、前記自宅ボタンを前記地図画面上に表示させない
ことを特徴とする請求項１に記載のナビゲーション装置。
【請求項３】
前記自宅ボタン表示制御部は、
前記自宅を前記目的地とする前記誘導経路が前記経路案内部によって案内されている場合、前記自宅ボタンを前記地図画面上に表示させない
ことを特徴とする請求項２に記載のナビゲーション装置。
【請求項４】
前記自宅ボタン表示制御部は、
ナビゲーション装置の現在位置が、前記自宅から所定の距離の範囲内である場合、前記自宅ボタンを前記地図画面上に表示させない
ことを特徴とする請求項１に記載のナビゲーション装置。
【請求項５】
前記所定の距離のユーザ設定値を記憶するユーザ設定値記憶部をさらに備え、
前記自宅ボタン表示制御部は、
ナビゲーション装置の現在位置が、前記自宅から前記ユーザ設定値記憶部に記憶されている前記ユーザ設定値の範囲内である場合、前記自宅ボタンを前記地図画面上に表示させない
ことを特徴とする請求項４に記載のナビゲーション装置。
【請求項６】
前記自宅ボタン表示制御部は、
ナビゲーション装置が、繰り返し目的地とされたことがある地点からの移動中である場合、前記自宅ボタンを前記地図画面上に表示させない
ことを特徴とする請求項１から５のいずれか一項に記載のナビゲーション装置。
【請求項７】
前記自宅ボタン表示制御部は、
ナビゲーション装置が、自宅までの誘導経路の探索を行ったことがある地点からの移動中である場合、前記自宅ボタンを前記地図画面上に表示させない
ことを特徴とする請求項１から５のいずれか一項に記載のナビゲーション装置。
【請求項８】
ナビゲーション装置によるナビゲーション方法であって、
前記ナビゲーション装置の自宅ボタン表示制御部が、予め設定された自宅を目的地とする誘導経路の探索を前記ナビゲーション装置の経路探索部に行わせるための自宅ボタンを、地図画面上に重ねて表示させる自宅ボタン表示工程と、
前記ナビゲーション装置の前記経路探索部が、目的地までの誘導経路を探索する経路探索工程と、
前記ナビゲーション装置の経路案内部が、前記経路探索工程において探索された前記誘導経路を案内する経路案内工程と、
前記ナビゲーション装置の前記自宅ボタン表示制御部が、前記ナビゲーション装置が予め定められた前記自宅ボタンの非表示条件に合致する状態となった場合、前記自宅ボタンを前記地図画面上から消去する自宅ボタン消去工程と
を含むことを特徴とするナビゲーション方法。
【発明の詳細な説明】
【技術分野】
【０００１】
本発明は、ナビゲーション装置およびナビゲーション方法に関し、特に、自宅までの誘導経路を探索するための自宅ボタンを地図画面上に表示可能なナビゲーション装置およびナビゲーション方法に用いて好適なものである。
【背景技術】
【０００２】
従来、ナビゲーション装置では、各種入力操作を行うための入力デバイスとして、ディスプレイの表面上に重ねられたタッチパネルが多く利用されている。この種のナビゲーション装置は、タッチパネルによる操作が可能な各種ボタンが、地図画面上に重ねてディスプレイに表示されるようになっている。特に、自宅ボタンは、ワンタッチで自宅を目的地とする誘導経路を探索することを実現できるために、使用頻度が高く、多くのナビゲーション装置で使用されている。
【０００３】
例えば、図８は、従来のナビゲーション装置による地図画面の表示例を示す図である。図８に示す地図画面８００は、従来のナビゲーション装置が自宅を目的地とする誘導経路の案内を行っているときに、そのナビゲーション装置のディスプレイに表示される地図画面の一例である。地図画面８００は、自車両の現在位置の周辺の地図を表している。地図画面８００には、自車両の現在位置を表すアイコン８０１と、自宅までの誘導経路を表す誘導経路画像８０２とが重ねて表示されている。
【０００４】
また、地図画面８００上には、タッチパネルによる操作が可能な自宅ボタン８１０および切換ボタン８１２が重ねて表示されている。自宅ボタン８１０は、自宅を目的地とする誘導経路の探索をナビゲーション装置に行わせるためのボタンである。切換ボタン８１２は、自宅ボタン８１０を非表示にする際に操作されるボタンである。
【０００５】
なお、タッチパネルによる操作可能なボタンをディスプレイに表示させる技術は、ナビゲーション装置以外の機器にも利用されている。例えば、下記特許文献１には、加熱調理器に設けられた中央表示・入力部に表示キーを表示し、その表示位置に対応した位置に形成された入力キーにより、表示キーに対応する操作を行うことができるようにした技術が開示されている。
【先行技術文献】
【特許文献】
【０００６】
【特許文献１】特開２００９−２７７６６６号公報
【発明の概要】
【発明が解決しようとする課題】
【０００７】
しかしながら、従来のナビゲーション装置は、使用頻度が高い自宅ボタンを、常に地図画面上に重ねて表示するようになっている。このため、従来のナビゲーション装置では、ユーザが自宅ボタンを非表示にするための操作を行わない限り、常に地図画面の一部が自宅ボタンによって隠されてしまい、ユーザが視認できる地図画面の表示面積を減少させてしまうといった問題が生じていた。
【０００８】
例えば、図８に示す例では、ナビゲーション装置が自宅までの誘導経路８０２の案内を既に行っている状態であるにも関わらず、自宅ボタン８１０が地図画面８００上に重ねて表示されている。これにより、地図画面８００の一部が自宅ボタン８１０によって隠されてしまい、地図画面８００の一部をユーザが視認できなくなっている。なお、タッチパネルによって切換ボタン８１２を操作することにより、自宅ボタン８１０を非表示にすることは可能であるが、ユーザが面倒な操作を行わなければならない。
【０００９】
なお、上記特許文献１に開示されている技術は、調理が開始された後、調理開始によって不要になった情報が入力される入力キーを無効にして当該入力キーに対応する表示キーを非表示にすることができるようになっている。しかしながら、上記特許文献１に開示されている技術は、表示キーを所定のキー表示エリアに表示するものであり、他の表示画面上に重ねて表示するものではないから、表示キーを非表示にしたとしても、他の表示画面の表示面積を拡大することができるわけではない。
【００１０】
本発明は、このような問題を解決するために成されたものであり、ユーザが面倒な操作を行うことなく、ユーザが視認できる地図画面の表示面積を拡大することができるようにすることを目的とする。
【課題を解決するための手段】
【００１１】
上記した課題を解決するために、本発明では、予め設定された自宅を目的地とする誘導経路の探索を経路探索部に行わせるための自宅ボタンを、地図画面上に重ねて表示させるようにした構成において、ナビゲーション装置が予め定められた自宅ボタンの非表示条件に合致する状態にある場合、自宅ボタンを地図画面上に表示させないようにしている。
【発明の効果】
【００１２】
上記のように構成した本発明によれば、ナビゲーション装置が自宅ボタンの非表示条件に合致する状態になると、ユーザが操作を行うことなく、地図画面上に表示されていた自宅ボタンが自動的に消去される。これにより、自宅ボタンに隠されていた地図画面の一部をユーザが視認できるようになる。したがって、本発明によれば、ユーザが面倒な操作を行うことなく、ユーザが視認できる地図画面の表示面積を拡大することができる。
【図面の簡単な説明】
【００１３】
【図１】本発明の第１実施形態に係るナビゲーション装置の機能構成例を示洲ブロック図である。
【図２】本発明の第１実施形態に係るナビゲーション装置による処理の一例を示すフローチャートである。
【図３】本発明の第１実施形態に係るナビゲーション装置による地図画面の表示例を示す図である。
【図４】本発明の第２実施形態に係るナビゲーション装置の機能構成例を示洲ブロック図である。
【図５】本発明の第２実施形態に係るナビゲーション装置による処理の一例を示すフローチャートである。
【図６】本発明の第２実施形態に係るユーザ設定距離の設定画面の一例を示す図である。
【図７】本発明の第２実施形態に係るナビゲーション装置による地図画面の表示例を示す図である。
【図８】従来の地図表示装置による地図画面の表示例を示す図である。
【発明を実施するための形態】
【００１４】
以下、本発明の実施形態を図面に基づいて説明する。
【００１５】
〔ナビゲーション装置１０の機能構成例〕
図１は、本発明の第１実施形態に係るナビゲーション装置１０の機能構成例を示すブロック図である。ナビゲーション装置１０は、自動車等の車両に搭載されている装置である。但し、特許請求の範囲に記載のナビゲーション装置はこれに限定されず、車両に搭載されている装置以外の装置（例えば、携帯用のナビゲーション装置、スマートフォン等の携帯端末等）にも適用することができる。
【００１６】
図１に示すように、本実施形態に係るナビゲーション装置１０は、地図データ記憶部１０１、タッチパネル１０３、現在位置検出装置１０５、ディスプレイ１０２およびスピーカ１０４を備えている。また、ナビゲーション装置１０は、その機能構成として、経路探索部１１１、経路案内部１１２、地図画面表示制御部１２０および自宅ボタン表示制御部１２１を備えている。
【００１７】
上記各機能ブロック１１１，１１２，１２０，１２１は、ハードウェア、ＤＳＰ（Digital Signal Processor）、ソフトウェアの何れによっても構成することが可能である。例えばソフトウェアによって構成する場合、上記各機能ブロック１１１，１１２，１２０，１２１は、実際にはコンピュータのＣＰＵ、ＲＡＭ、ＲＯＭなどを備えて構成され、ＲＡＭやＲＯＭ、ハードディスクまたは半導体メモリ等の記録媒体に記憶されたプログラムが動作することによって実現される。
【００１８】
地図データ記憶部１０１は、地図データを記憶する。当該地図データには、複数のノードのノード情報、複数の道路リンクの道路リンク情報、施設データ、地名データ等が含まれている。また、地図データ記憶部１０１は、ユーザが任意に指定した地点の登録地点データを記憶する。登録地点データには、ユーザの自宅の登録地点データを含んでいる。
【００１９】
ディスプレイ１０２は、各種情報（主に、地図画面）を表示する。ディスプレイ１０２には、例えば液晶ディスプレイ、有機ＥＬディスプレイ等が用いられる。タッチパネル１０３は、各種情報を入力するための入力デバイスの一例である。タッチパネル１０３は、ディスプレイ１０２の表面に重ねて設けられている。スピーカ１０４は、各種音声（例えば、経路案内の誘導音声等）を出力する。現在位置検出装置１０５は、車両の現在位置を検出する。現在位置検出装置１０５は、例えば、ＧＰＳ（Global Positioning System）と自律航法ユニットとを備えて構成されている。
【００２０】
経路探索部１１１は、地図データ記憶部１０１に記憶されている地図データに基づいて、現在位置検出装置１０５によって検出された車両の現在位置から、ユーザがタッチパネル１０３の操作により任意に設定した目的地までの誘導経路を探索する。
【００２１】
経路案内部１１２は、経路探索部１１１によって探索された誘導経路と、地図データ記憶部１０１に記憶されている地図データと、現在位置検出装置１０５によって検出された車両の現在位置とに基づいて、目的地まで車両を誘導する。経路案内部１１２による車両の誘導は、誘導経路や交差点案内画面等のディスプレイ１０２による表示、および、誘導音声のスピーカ１０４からの出力を伴う。
【００２２】
地図画面表示制御部１２０は、地図データ記憶部１０１に記憶されている地図データに基づいて、現在位置検出装置１０５によって検出された車両の現在位置周辺の地図画面を生成し、当該地図画面をディスプレイ１０２に表示させる。
【００２３】
自宅ボタン表示制御部１２１は、ディスプレイ１０２による自宅ボタンの表示を制御する。自宅ボタンとは、地図データ記憶部１０１の登録地点データに設定されている自宅を目的地とする誘導経路の探索を経路探索部１１１に行わせるためのボタンである。
【００２４】
例えば、自宅ボタン表示制御部１２１は、図３（ａ）に示すように、自宅ボタン３１０を、地図画面３００上の所定の位置（左下）に重ねて、ディスプレイ１０２に表示させる。この状態で、ユーザがタッチパネル１０３を操作して自宅ボタン３１０を押下すると、経路探索部１１１が、自宅を目的地とする誘導経路の探索を行うようになっている。
【００２５】
一方、自宅ボタン表示制御部１２１は、ナビゲーション装置１０が、自宅ボタンの非表示条件に合致する状態にある場合、自宅ボタンを地図画面上に表示させない。この第１実施形態では、自宅ボタン表示制御部１２１は、自宅を目的地とする誘導経路が経路案内部１１２によって案内されている場合を、自宅ボタンの非表示条件に合致する状態として、自宅ボタンを地図画面上に表示させない。一般的に、自宅までの誘導経路の案内が既に行われている状態では、ユーザが改めて自宅までの誘導経路の探索処理をナビゲーション装置１０に行わせる可能性が低いと考えられるためである。
【００２６】
〔ナビゲーション装置１０による処理の一例〕
図２は、本発明の第１実施形態に係るナビゲーション装置１０による処理の一例を示すフローチャートである。例えば、図２に例示する処理は、ナビゲーション装置１０において地図画面を表示する所定のタイミング（例えば、ナビゲーション装置１０の電源がＯＮになったタイミング、ナビゲーション装置１０においてナビゲーション機能が開始されるタイミング等）が到来したときに実行される。
【００２７】
まず、地図画面表示制御部１２０が、車両の現在位置周辺の地図画面をディスプレイ１０２に表示させる（ステップＳ２０２）。次に、自宅ボタン表示制御部１２１が、自宅ボタンを、地図画面上の所定の位置に重ねて、ディスプレイ１０２に表示させる（ステップＳ２０４）。
【００２８】
その後、経路探索部１１１が、目的地までの誘導経路の探索を行うようにユーザから指示されたか否かを判断する（ステップＳ２０６）。ここで、誘導経路の探索が指示されていないと経路探索部１１１が判断した場合（ステップＳ２０６：Ｎｏ）、ナビゲーション装置１０は、ステップＳ２０２に処理を戻す。
【００２９】
一方、誘導経路の探索が指示されたと経路探索部１１１が判断した場合（ステップＳ２０６：Ｙｅｓ）、経路探索部１１１が、ユーザによって設定された目的地までの誘導経路を探索する（ステップＳ２０８）。そして、経路案内部１１２が、ステップＳ２０８で探索された誘導経路の案内を開始する（ステップＳ２１０）。
【００３０】
さらに、自宅ボタン表示制御部１２１が、ステップＳ２１０で案内が開始された誘導経路の目的地が自宅か否かを判断する（ステップＳ２１２）。ここで、誘導経路の目的地が自宅であると自宅ボタン表示制御部１２１が判断した場合（ステップＳ２１２：Ｙｅｓ）、自宅ボタン表示制御部１２１が、ディスプレイ１０２に表示されている自宅ボタンを消去する（ステップＳ２１４）。そして、ナビゲーション装置１０は、ステップＳ２１６へ処理を進める。
【００３１】
一方、誘導経路の目的地が自宅ではないと自宅ボタン表示制御部１２１が判断した場合（ステップＳ２１２：Ｎｏ）、ナビゲーション装置１０は、自宅ボタンをディスプレイ１０２に表示させたまま、ステップＳ２１６へ処理を進める。
【００３２】
ステップＳ２１６では、経路案内部１１２が、自車両が目的地に到着したか否かを判断する。ここで、自車両が目的地に到着したと経路案内部１１２が判断した場合（ステップＳ２１６：Ｙｅｓ）、ナビゲーション装置１０は、ステップＳ２０２に処理を戻す。一方、自車両が目的地に到着していないと経路案内部１１２が判断した場合（ステップＳ２１６：Ｎｏ）、地図画面表示制御部１２０が、車両の現在位置周辺の地図画面をディスプレイ１０２に表示させる（ステップＳ２１８）。そして、ナビゲーション装置１０は、ステップＳ２１６に処理を戻す。
【００３３】
〔ナビゲーション装置１０による地図画面の表示例〕
図３は、本発明の第１実施形態に係るナビゲーション装置１０による地図画面の表示例を示す図である。図３（ａ）に示す地図画面３００は、ナビゲーション装置１０が自宅を目的地とする誘導経路の案内を行っていないときに、ディスプレイ１０２に表示される地図画面の一例である。一方、図３（ｂ）に示す地図画面３００’は、ナビゲーション装置１０が自宅を目的地とする誘導経路の案内を行っているときに、ディスプレイ１０２に表示される地図画面の一例である。
【００３４】
地図画面３００，３００’は、自車両の現在位置の周辺の地図を表しており、複数の道路画像を含んで構成されている。地図画面３００は、複数の道路画像の他に、施設の位置，種別，名称を表す施設画像３０２を含んで構成されている。地図画面３００’は、複数の道路画像の他に、施設の位置，種別，名称を表す施設画像３０１，３０２を含んで構成されている。また、地図画面３００，３００’には、自車両の現在位置を表すアイコン３１１が重ねて表示されている。さらに、地図画面３００’には、自宅までの誘導経路を表す誘導経路画像３１２が重ねて表示されている。また、地図画面３００には、タッチパネル１０３による操作が可能な自宅ボタン３１０が重ねて表示されている。自宅ボタン３１０は、自宅を目的地とする誘導経路の探索を経路探索部１１１に行わせるためのボタンである。
【００３５】
図３（ａ）に示すように、ナビゲーション装置１０において、自宅までの誘導経路の案内が行われていない時には、自宅ボタン表示制御部１２１の制御により、地図画面３００上に自宅ボタン３１０が重ねて表示される。このため、地図画面３００では、施設画像３０１が自宅ボタン３１０によって隠されているため、施設画像３０１をユーザが視認できなくなっている。
【００３６】
一方、図３（ｂ）に示すように、ナビゲーション装置１０において、自宅までの誘導経路３１２の案内が行われている時には、自宅ボタン表示制御部１２１の制御により、地図画面３００’上に自宅ボタン３１０が表示されない。これにより、地図画面３００’では、自宅ボタン３１０の表示位置に表示されている施設画像３０１をユーザが視認できるようになっている。
【００３７】
以上説明したとおり、第１実施形態によれば、ナビゲーション装置１０が自宅を目的地とする誘導経路の案内を開始すると、ユーザが操作を行うことなく、地図画面上に表示されていた自宅ボタンが自動的に消去される。これにより、自宅ボタンに隠されていた地図画面の一部をユーザが視認できるようになる。したがって、第１実施形態によれば、ユーザが面倒な操作を行うことなく、ユーザが視認できる地図画面の表示面積を拡大することができる。
【００３８】
〔第２実施形態〕
次に、図４〜図７を参照して、本発明の第２実施形態について説明する。特に、以下では、第２実施形態のナビゲーション装置１０’に関し、第１実施形態のナビゲーション装置１０からの変更点について説明する。
【００３９】
〔ナビゲーション装置１０’の機能構成例〕
図４は、本発明の第２実施形態に係るナビゲーション装置１０’の機能構成例を示すブロック図である。図４に示すナビゲーション装置１０’は、ユーザ設定値記憶部１０６をさらに備える点、および、自宅ボタン表示制御部１２１の代わりに自宅ボタン表示制御部１２１’を備える点で、図１に示すナビゲーション装置１０と異なる。
【００４０】
ユーザ設定値記憶部１０６は、自宅ボタンの非表示の対象範囲を規定するためにユーザが設定した自宅からの距離であるユーザ設定距離を記憶する。例えば、ユーザ設定値記憶部１０６は、図６に示すような設定画面をディスプレイ１０２に表示して、ユーザ設定距離の設定をユーザに行わせる。そして、ユーザ設定値記憶部１０６は、ユーザ設定距離の設定がなされると、このユーザ設定距離を記憶する。
【００４１】
この第２実施形態では、自宅ボタン表示制御部１２１’は、現在位置検出装置１０５によって検出されたナビゲーション装置１０’の現在位置が、自宅からユーザ設定値記憶部１０６に記憶されているユーザ設定距離の範囲内である場合を、自宅ボタンの非表示条件に合致する状態として、自宅ボタンを地図画面上に表示させない。一般的に、自宅の近傍では、ユーザが地図画面を見なくとも自宅までの帰路を把握している場合が殆どであり、ユーザが自宅までの誘導経路の探索処理をナビゲーション装置１０’に行わせる可能性が低いと考えられるためである。
【００４２】
なお、ユーザ設定値記憶部１０６は、ユーザ設定距離の代わりに「非表示機能ＯＦＦ」をユーザに設定させることができる。自宅ボタン表示制御部１２１’は、「非表示機能ＯＦＦ」が設定されている場合、自宅からナビゲーション装置１０’の現在位置までの距離に関わらず、ディスプレイ１０２に自宅ボタンを表示させる。
【００４３】
〔ナビゲーション装置１０’による処理の一例〕
図５は、本発明の第２実施形態に係るナビゲーション装置１０’による処理の一例を示すフローチャートである。例えば、図５に例示する処理は、ナビゲーション装置１０’において地図画面を表示する所定のタイミング（例えば、ナビゲーション装置１０’の電源がＯＮになったタイミング、ナビゲーション装置１０’においてナビゲーション機能が開始されるタイミング等）が到来したときに実行される。
【００４４】
まず、地図画面表示制御部１２０が、車両の現在位置周辺の地図画面をディスプレイ１０２に表示させる（ステップＳ５０２）。次に、自宅ボタン表示制御部１２１’が、ユーザ設定値記憶部１０６に記憶されているユーザ設定距離を読み取る（ステップＳ５０４）。
【００４５】
次に、自宅ボタン表示制御部１２１’が、ユーザ設定距離の代わりに「非表示機能ＯＦＦ」が設定されていたか否かを判断する（ステップＳ５０６）。ここで、ユーザ設定距離の代わりに「非表示機能ＯＦＦ」が設定されていたと自宅ボタン表示制御部１２１’が判断した場合（ステップＳ５０６：Ｙｅｓ）、ナビゲーション装置１０’は、ステップＳ５１６へ処理を進める。
【００４６】
一方、ユーザ設定距離の代わりに「非表示機能ＯＦＦ」が設定されていないと自宅ボタン表示制御部１２１’が判断した場合（ステップＳ５０６：Ｎｏ）、現在位置検出装置１０５が、車両の現在位置を検出する（ステップＳ５０８）。そして、自宅ボタン表示制御部１２１’が、ステップＳ５０８で検出された車両の現在位置から自宅までの距離Ｄを算出する（ステップＳ５１０）。距離Ｄは、例えば、車両の現在位置の位置座標と自宅の位置座標とに基づいて算出される直線距離である。
【００４７】
その後、自宅ボタン表示制御部１２１’が、ステップＳ５１０で算出された距離Ｄが、ステップＳ５０４で読み取られたユーザ設定距離よりも短いか否かを判断する（ステップＳ５１２）。ここで、距離Ｄがユーザ設定距離よりも短いと自宅ボタン表示制御部１２１’が判断した場合（ステップＳ５１２：Ｙｅｓ）、自宅ボタン表示制御部１２１’が、自宅ボタンを非表示とする（ステップＳ５１４）。そして、ナビゲーション装置１０’は、ステップＳ５１８へ処理を進める。
【００４８】
一方、距離Ｄがユーザ設定距離よりも短くないと自宅ボタン表示制御部１２１’が判断した場合（ステップＳ５１２：Ｎｏ）、自宅ボタン表示制御部１２１’が、自宅ボタンをディスプレイ１０２に表示させる（ステップＳ５１６）。そして、ナビゲーション装置１０’は、ステップＳ５１８へ処理を進める。
【００４９】
ステップＳ５１８では、地図画面表示制御部１２０が、地図画面の表示を終了させるか否かを判断する。例えば、地図画面表示制御部１２０は、ナビゲーション装置１０’において地図画面の表示を終了させる所定の操作（例えば、ナビゲーション装置１０’の電源をＯＦＦに切り替える操作、ナビゲーション機能の終了操作等）が行われたとき、地図画面の表示を終了させると判断する。
【００５０】
ここで、地図画面の表示を終了させると地図画面表示制御部１２０が判断した場合（ステップＳ５１８：Ｙｅｓ）、ナビゲーション装置１０’は、図５に例示する一連の処理を終了する。一方、地図画面の表示を終了させないと地図画面表示制御部１２０が判断した場合（ステップＳ５１８：Ｎｏ）、ナビゲーション装置１０’は、ステップＳ５０２に処理を戻す。
【００５１】
図５の処理によれば、例えば、自車両が自宅からのユーザ設定距離の範囲外に位置しているとき、自宅ボタンがディスプレイ１０２に自動的に表示される。その後、自車両が自宅からのユーザ設定距離の範囲内に移動すると、自宅ボタンがディスプレイ１０２から自動的に消去される。
【００５２】
〔ユーザ設定距離の設定画面の一例〕
図６は、本発明の第２実施形態に係るユーザ設定距離の設定画面の一例を示す図である。図６に示す画面６００は、ユーザがナビゲーション装置１０’に対して各種設定を行う際に、ナビゲーション装置１０’のディスプレイ１０２に表示される設定画面の一例である。
【００５３】
図６に示すように、画面６００は、ユーザ設定距離を設定するための設定欄６１０を含んでいる。例えば、図６に示す例では、設定欄６１０に対し、ユーザ設定距離として「３０００ｍ」が設定されている。この場合、自宅から自車両の現在位置までの距離が「３０００ｍ」以上の場合には、ディスプレイ１０２に自宅ボタンが表示される。
【００５４】
一方、自宅から自車両の現在位置までの距離が「３０００ｍ」より短い場合には、ディスプレイ１０２に自宅ボタンが表示されなくなる。なお、ユーザは、設定欄６１０に対し、ユーザ設定距離の代わりに「非表示機能ＯＦＦ」を設定することができる。設定欄６１０に「非表示機能ＯＦＦ」が設定された場合、自宅から自車両の現在位置までの距離に関わらず、ディスプレイ１０２に自宅ボタンが表示されるようになる。
【００５５】
〔ナビゲーション装置１０’による地図画面の表示例〕
図７は、本発明の第２実施形態に係るナビゲーション装置１０’による地図画面の表示例を示す図である。図７（ａ）に示す地図画面７００は、自車両が自宅からユーザ設定距離を半径ｒとする円形の範囲外に位置しているときに、ディスプレイ１０２に表示される地図画面の一例である。一方、図７（ｂ）に示す地図画面７００’は、自車両が自宅からユーザ設定距離を半径ｒとする円形の範囲内に位置しているときに、ディスプレイ１０２に表示される地図画面の一例である。
【００５６】
地図画面７００，７００’は、自車両の現在位置の周辺の地図を表しており、複数の道路画像を含んで構成されている。地図画面７００は、複数の道路画像の他に、施設の位置，種別，名称を表す施設画像７０１を含んで構成されている。また、地図画面７００’は、複数の道路画像の他に、施設の位置，種別，名称を表す施設画像７０２と、自宅の位置を表すアイコン７０３とを含んで構成されている。また、地図画面７００，７００’には、自車両の現在位置を表すアイコン７１１が重ねて表示されている。また、地図画面７００には、タッチパネル１０３による操作が可能な自宅ボタン７１０が重ねて表示されている。自宅ボタン７１０は、自宅を目的地とする誘導経路の探索を経路探索部１１１に行わせるためのボタンである。
【００５７】
図７（ａ）に示すように、自車両が自宅からユーザ設定距離を半径ｒとする円形の範囲外に位置しているときには、自宅ボタン表示制御部１２１’の制御により、地図画面７００上に自宅ボタン７１０が重ねて表示される。
【００５８】
一方、図７（ｂ）に示すように、自車両が自宅からユーザ設定距離を半径ｒとする円形の範囲内に位置しているときには、自宅ボタン表示制御部１２１’の制御により、地図画面７００’上に自宅ボタン７１０が表示されない。これにより地図画面７００’では、自宅ボタン７１０の表示位置に表示されている施設画像７０２をユーザが視認できるようになっている。
【００５９】
以上説明したとおり、第２実施形態によれば、自車両が自宅からユーザ設定距離を半径ｒとする円形の範囲内に移動すると、ユーザが操作を行うことなく、地図画面上に表示されていた自宅ボタンが自動的に消去される。これにより、自宅ボタンに隠されることなく地図画面の一部をユーザが視認できるようになる。したがって、第２実施形態によれば、ユーザが面倒な操作を行うことなく、ユーザが視認できる地図画面の表示面積を拡大することができる。
【００６０】
なお、特許請求の範囲に記載の「ナビゲーション装置が自宅ボタンの非表示条件に合致する状態」は、上記各実施形態にて例示したものに限らない。例えば、上記各実施形態において、自宅以外の他の地点を目的地とする誘導経路が経路案内部１１２によって案内されている場合を、ナビゲーション装置が自宅ボタンの非表示条件に合致する状態として、自宅ボタンを地図画面上に表示させないようにしてもよい。一般的に、ユーザが、自宅以外の目的地へ向かっている途中で、自宅までの誘導経路の探索処理をナビゲーション装置１０，１０’に行わせる可能性が低いと考えられるためである。
【００６１】
また、上記各実施形態において、ナビゲーション装置１０，１０’が、繰り返し目的地とされたことがある地点からの移動中である場合を、ナビゲーション装置が自宅ボタンの非表示条件に合致する状態として、自宅ボタンを地図画面上に表示させないようにしてもよい。一般的に、ユーザが繰り返し訪れたことがある地点からの移動中の場合は、ユーザが自宅へ帰宅している途中である可能性が高く、且つ、ユーザが自宅までの帰路を把握している可能性が高いと考えられるためである。
【００６２】
また、上記各実施形態において、ナビゲーション装置１０，１０’が、自宅までの誘導経路の探索を行ったことがある地点からの移動中である場合を、ナビゲーション装置が自宅ボタンの非表示条件に合致する状態として、自宅ボタンを地図画面上に表示させないようにしてもよい。一般的に、自宅までの誘導経路の探索を行ったことがある地点からの移動中の場合は、ユーザが自宅へ帰宅している途中である可能性が高く、且つ、ユーザが自宅までの帰路を把握している可能性が高いと考えられるためである。
【００６３】
その他、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００６４】
１０，１０’  ナビゲーション装置
１０１  地図データ記憶部
１０２  ディスプレイ
１０３  タッチパネル
１０４  スピーカ
１０５  現在位置検出装置
１０６  ユーザ設定値記憶部
１１１  経路探索部
１１２  経路案内部
１２０  地図画面表示制御部
１２１，１２１’  自宅ボタン表示制御部
【図１】
2016070806.tif 000003
【図２】
2016070806.tif 000004
【図３】
2016070806.tif 000005
【図４】
2016070806.tif 000006
【図５】
2016070806.tif 000007
【図６】
2016070806.tif 000008
【図７】
2016070806.tif 000009
【図８】
2016070806.tif 000010